(57)【特許請求の範囲】
【請求項１】
液体の害虫忌避剤を収容する収容部を備え、該収容部を画成する基体の全部分又は一部分に多孔質材料から成る通液部を形成し、該通液部が浸水した際に同通液部を通じて上記害虫忌避剤を水中に放出し、溜まり水又はその水辺で生息する害虫を防除する害虫防除具であって、上記通液部を形成する多孔質材料が陶磁器材料であることを特徴とする害虫防除具。
【請求項２】
上記通液部の外面に水溶解性又は水崩壊性の揮発防止層を形成したことを特徴とする請求項１記載の害虫防除具。
【請求項３】
上記収容部に上記害虫忌避剤と共に加圧気体を封入したことを特徴とする請求項１又は請求項２に記載の害虫防除具。
【請求項４】
上記害虫忌避剤は天然成分から成ることを特徴とする請求項１乃至請求項３の何れかに記載の害虫防除具。
【請求項５】
上記陶磁器材料は６００℃〜１３５０℃で焼成して成ることを特徴とする請求項１乃至請求項４の何れかに記載の害虫防除具。
【発明の詳細な説明】
【技術分野】
【０００１】
本発明は、地面の凹所に形成された水たまり内、側溝の集水桝内、防火水槽内、農業用水路における取水堰内等の澱んでいる水、所謂溜まり水又はその水辺で生息（生活又は繁殖）する害虫を防除する害虫防除具に関する。
【背景技術】
【０００２】
溜まり水やその水辺に生息する害虫、特に蚊はあらゆる場所の溜まり水（水面又は水中）に産卵し短期間で孵化して繁殖し、産卵のため人から吸血する際にデング熱、黄熱病、フィラリア、マラリア、日本脳炎、ウエストナイル熱、チクングニア熱等の伝染病を媒介する。グローバル化し自国以外の様々な国の人々が相互往来する近年においては、本来自国には存在しない伝染病をも媒介するおそれがあり、蚊の防除は社会問題となっている。
【０００３】
従来は溜まり水やその水辺に生息する害虫に対しては、これら害虫が飛翔することから、空気中に殺虫剤や害虫忌避剤を蒸散又は散布して空間忌避を図る防除方法が採られている。特に現代社会においては環境や人体を害さぬように、殺虫剤よりも害虫忌避剤を利用する防除方法が採用されている。
【０００４】
例えば下記特許文献１は、害虫忌避剤を収容した容器に蒸散用穴を穿設し、該蒸散用穴から害虫忌避剤を蒸散して空間忌避を図る方法を開示している。
【０００５】
また、下記特許文献２は、天然繊維や合成繊維から成る薬剤保持体又はゼオライト・タルク・ホワイトカーボン・珪藻土・石灰・シリカゲル・活性炭等から成る薬剤保持体に害虫忌避剤を保持し、該薬剤保持体から害虫忌避剤を蒸散して空間忌避を図る防除方法を開示している。
【０００６】
さらに、下記特許文献３は、害虫忌避剤を足バンドの構成材料に含有し、該足バンドに含有した害虫忌避剤を蒸散して空間忌避を図る防除方法が開示されている。
【先行技術文献】
【特許文献】
【０００７】
【特許文献１】実用新案登録第３１２７７８４号公報
【特許文献２】特開２００２−１７３４０７号公報
【特許文献３】特開２００４−５１５６４号公報
【発明の概要】
【発明が解決しようとする課題】
【０００８】
上記従来の防除方法は、何れも害虫忌避剤を空中に蒸散する防除方法であり、防除対象域の空気の流れ、空間の大小又は障害物の有無等により害虫忌避効果が限定的となる問題点を有している。加えて害虫忌避剤の蒸散量を把握し難い問題点を有している。
【０００９】
また、上記従来の防除方法は、害虫が成虫となり飛翔することを前提としており、害虫の発生自体を予防することを考慮していない。
【課題を解決するための手段】
【００１０】
本発明は、従来の防除方法のように空間忌避のみによる害虫防除方法を採らず、防除対象の害虫が生息、即ち害虫が産卵や孵化等により発生又は生活する溜まり水自体に害虫忌避剤を放出し、該溜まり水における水中忌避や水面忌避を図ると共に該溜まり水の水面から害虫忌避剤を蒸散して溜まり水の周辺に生息し飛翔する害虫に対し空間忌避をも図る害虫防除具を提供する。
【００１１】
要述すると、本発明に係る害虫防除具は、液体の害虫忌避剤を収容する収容部を備え、該収容部を画成する基体の全部分又は一部分に多孔質材料から成る通液部を形成し、該通液部が浸水した際に同通液部を通じて上記害虫忌避剤を水中に放出し、溜まり水又はその水辺で生息する害虫を防除する。また、上記通液部を形成する多孔質材料として陶磁器材料を用いることにより、該通液部の内面から外面へと続く微細通孔を適度に形成でき、上記収容部内の害虫忌避剤を上記通液部を通じて持続的に溜まり水中に放出して害虫を防除する。
【００１２】
好ましくは、上記通液部の外面に水溶解性又は水崩壊性の揮発防止層を形成することにより、上記通液部が浸水していないときには害虫忌避剤の揮発を防止すると共に該通液部が浸水したときには溶解又は崩壊し同通液部からの害虫忌避剤の通液を可能とする。
【００１３】
更に好ましくは、上記収容部に上記害虫忌避剤と共に加圧気体を封入し、該加圧気体により害虫忌避剤を上記通液部を介して押し出して効果的に水中に放出する。
【００１４】
また、本発明における害虫忌避剤として天然成分から成る害虫忌避剤を用いることにより、環境や人体に影響に配慮しつつ溜まり水又はその水辺の害虫を防除する。
【００１６】
好ましくは、上記陶磁器材料として６００℃〜１３５０℃で焼成して成るものを用い、上記収容部から水中への通液に必要な微細通孔の数を確保する。
【００１８】
なお、本発明において、「溜まり水」の語は、流れずに溜まっている水を意味し、集水桝、取水堰や人工池等のように水面付近に僅かな水流が発生しつつ溜まっている水を含む意味で用いる。また、「陶磁器材料」の語は、土器材料・せっ器材料・陶器材料・磁器材料を総称する。
【発明の効果】
【００１９】
本発明に係る害虫防除具によれば、溜まり水内に害虫忌避剤を放出し、水中及び水面における忌避効果を確実ならしめると共に、溜まり水の水面から害虫忌避剤を蒸散して該溜まり水の周辺においても忌避効果を得られる。
【図面の簡単な説明】
【００２０】
【図１】本発明の実施例１に係る害虫防除具の斜視図。
【図２】図１の縦方向断面図。
【図３】実施例１に係る害虫防除具の設置例を示す説明図であり、（Ａ）は地面の凹所に害虫防除具を設置した状態を示す説明図、（Ｂ）は該凹所に水が溜まり害虫防除具が浸水した状態を示す説明図。
【図４】実施例１に係る害虫防除具の設置例の他例を示す説明図であり、（Ａ）は集水桝の内部に吊下手段を介して害虫防除具を宙吊りして設置した状態を示す説明図、（Ｂ）は該集水桝の内部に水が溜まり害虫防除具の通液部が浸水した状態を示す説明図。
【図５】本発明の実施例２に係る害虫防除具を一部断面視して示す説明図。
【図６】本発明の実施例３に係る害虫防除具の斜視図。
【図７】（Ａ）は図６の縦方向断面図、（Ｂ）は蓋部の他例を示す縦方向断面図。
【図８】実施例３に係る害虫防除具を防火水槽内に固定手段を介して設置した例を示す説明図。
【図９】本発明の実施例４に係る害虫防除具の斜視図。
【図１０】図９の縦方向断面図。
【発明を実施するための形態】
【００２１】
以下、本発明を実施するための形態を図１乃至図１０に基づいて説明する。
【実施例１】
【００２２】
図１，図２に示すように、本実施例に係る害虫防除具１は基体３にて画成された収容部２を備え、該収容部２内に液体の害虫忌避剤４を収容し、上記基体３の全部分に多孔質材料から成る通液部５を形成する基本構成を有する。すなわち、上記基体３をその内面３ａから外面３ｂへと続く微細通孔を有する材料で構成し、該基体３自体を通液部５とする。後記するように、上記通液部５が浸水した際に同通液部５を通じて上記収容部２内の害虫忌避剤４を水中に放出し、溜まり水又はその水辺で生息する害虫を防除する。
【００２３】
本実施例においては上記基体３の全域を通液部５として形成した例を示しているが、本発明はこれに限定されるものではなく、上記基体３の所定域のみを多孔質材料で形成して通液部５を形成しても良い。また、本発明に係る害虫防除具１は、溜まり水に上記通液部５の一部が浸水すればよく、大きさや形状は実施に応じ任意である。
【００２４】
また、具体的構成として、上記基体３の所定部、本実施例においては上記基体３の上端部を着脱可能な蓋部６とし、該蓋部６にて上記収容部２を開閉する構成とし、上記収容部２内に収容した害虫忌避剤４を全て水中に放出した後に再び該収容部２を開放して害虫忌避剤４を収容し、再利用できる。該蓋部６は上記収容部２の開口と嵌合するように形成し、着脱可能とする。なお、必要に応じて上記蓋部６又は上記収容部２の開口の嵌合部分にゴムリング等のシール材を介在させることができるのは勿論である。また、上記蓋部６と該蓋部６以外の基体３の部分を異質材料で形成することも実施に応じ任意である。
【００２５】
上記通液部５を形成する多孔質材料としては、陶磁器材料（土器材料・せっ器材料・陶器材料・磁器材料）・焼結した珪藻土・軽石等の既知の多孔質材料を用いることができるが、好ましくは陶磁器材料を用い、害虫忌避剤４を持続的に溜まり水中に放出して害虫を防除する。
【００２６】
更に好ましくは、多孔質材料として用いる陶磁器材料は６００℃〜１３５０℃で焼成して成るものを用い、上記収容部から水中への通液に必要な微細通孔の数を確保する。また、陶磁器材料の原料は特に限定はないが、例えば主原料として泥土又は陶石又はカオリン（カオリナイト・ディク石・ナクル石の総称）を用いる。
【００２７】
上記害虫忌避剤４としては、既知の害虫忌避剤を用いることができ、特に限定はないが、植物精油や植物精油から抽出した成分、即ち天然成分から成る害虫忌避剤を用いれば、環境及び人体への影響が少ない害虫防除具１を提供できる。
【００２８】
上記植物精油としては、ヒバ油・ヒノキ油・オレンジ油・カシア油・グレープフルーツ油・ライム油・クローブ油・シダーウッド油・シトロネラ油・シナモン油・ゼラニウム油・タイムホワイト油・ハッカ油・ピメント油・フェンネル油・ペニーローヤル油・ペパーミント油・ベルガモット油・ラベンダー油・ルー油・レモングラス油・ティートリー油・パチョリ油・シソ油・シダーウッド油・コリアンダー油・ユーカリ油・楠油・月桃油等を単独又は混合して用いる。これら植物精油は適切に上記通液部５を通じて溜まり水の水中に放出された後、溜まり水の水面に油膜を張ることができ、効果的に溜まり水又はその水辺の害虫を防除する。また、植物精油から抽出した成分としてヒノキチオール等の成分を用いることができる。なお、本実施例及び後記する実施例２乃至４の害虫防除具１の設置例においては害虫忌避剤４が植物精油から成る場合について説明する。
【００２９】
また、本実施例に係る害虫防除具１の好ましい構成の例示として、上記通液部５の外面に水溶解性又は水崩壊性の揮発防止層７を形成する構成が挙げられる。当該揮発防止層７は上記通液部５が浸水していないときには害虫忌避剤４の揮発を防止すると共に、上記通液部５が浸水したときには水により溶解又は崩壊し同通液部５からの害虫忌避剤４の通液を可能とする。
【００３０】
上記揮発防止層７を形成する材料としては、デンプン・アルギン酸ナトリウム・寒天・ゼラチン・カゼイン・珪藻土・真砂土等のように、水により容易に溶解又は崩壊しつつ環境や人体に負荷を与えないものが適正である。
【００３１】
次に既述した構成の本実施例に係る害虫防除具１の設置例について説明する。図３は本実施例に係る害虫防除具１を地面Ｇの凹所Ｇａに設置した例を示しており、図４は同害虫防除具１を排水路に形成された集水桝Ｍの内部Ｍａに設置した例を示している。
【００３２】
図３（Ａ）に示すように、害虫防除具１を単に地面Ｇの凹所Ｇａに設置しておけば、図３（Ｂ）に示すように、雨水等により上記凹所Ｇａ内に水が溜まった際には溜まり水Ｗ内に通液部５が没し、該水中に没した通液部５を通じて害虫忌避剤４を溜まり水Ｗ中に放出する。
【００３３】
また、図４の設置例においては、図４（Ａ）に示すように、吊下手段、例えば集水桝Ｍの対向する開口縁に架け渡す架橋体と該架橋体から垂下する紐体から成る吊下手段９を介して害虫防除具１を上記集水桝Ｍの内部Ｍａに宙吊り状態で設置し、水が溜まった際には溜まり水Ｗ内に通液部５が没し、該水中に没した通液部５を通じて害虫忌避剤４を溜まり水Ｗ中に放出する。
【００３４】
害虫忌避剤４の水中への放出について詳述すると、害虫防除具１の収容部２内の植物精油から成る害虫忌避剤４が通液部５の内面５ａから外面５ｂへと浸透し、図示の如く、該浸透した害虫忌避剤４が上記通液部５の外面５ｂ上で多数の油玉４ａとなり、該油玉４ａは溜まり水Ｗと害虫忌避剤４との比重に従い上昇し、溜まり水Ｗの水面Ｗａ上に油膜４ｂを形成する。
【００３５】
したがって、溜まり水Ｗ中に放出された害虫忌避剤４の油玉４ａにより、溜まり水Ｗ中で生息する害虫を防除することができると共に、溜まり水Ｗの水面Ｗａに形成された害虫忌避剤４の油膜４ｂから忌避成分を蒸散して、溜まり水Ｗの周辺に生息し飛翔する害虫を防除することができる。また、上記油膜４ｂにより害虫忌避剤４の放出量を把握できる。
【００３６】
特に溜まり水が存するとすぐに該溜まり水に産卵し短期間で孵化する蚊に対しては、産卵そのものを予防することができ、効果的である。
【実施例２】
【００３７】
図５に示すように、本実施例に係る害虫防除具１は、シート状の多孔質材料から成る基体３を袋状に成形して開口部を封止手段１１で封止する構成を有し、該基体３で画成する収容部２内に液体の害虫忌避剤４を収容する構成を有している。従って本実施例においては上記実施例１と同様に上記基体３の全部分を多孔質材料で形成して通液部５とする。
【００３８】
上記シート状の多孔質材料として、好ましくは多数の微細通孔を有する合成樹脂製の多孔質シートを用いる。必要に応じて上記通液部５の外面５ｂ上に揮発防止層７を形成する。
【００３９】
上記害虫忌避剤４及び上記揮発防止層７の形成材についての説明は、既述した実施例１と同様であるので、ここでは説明を割愛する。また、害虫忌避剤４の水中への放出については、既述した実施例１における設置例と同様であるので、ここでは実施例１における設置例の説明を援用する。
【実施例３】
【００４０】
図６，図７に示すように、本実施例に係る害虫防除具１は基体３にて画成された収容部２を備え、該収容部２内に液体の害虫忌避剤４を収容し、上記基体３の一部分に多孔質材料から成る通液部５を形成する基本構成を有し、上記通液部５が浸水した際に同通液部５を通じて上記収容部２内の害虫忌避剤４を水中に放出し、溜まり水又はその水辺で生息する害虫を防除する。
【００４１】
本実施例においては、上記基体３のうち、上記通液部５として形成した部分を蓋部６とし、その余の基体３の部分は既知のビン体を利用して構成した点において既述の実施例１，２とは異なる構成を有している。上記ビン体はガラス製又は合成樹脂製等の害虫忌避剤４を漏らさないものを使用する。
【００４２】
図７（Ａ）に示すように、上記通液部５兼蓋部６は上記収容部２の開口を形成する上記ビン体の上端部と嵌合するように形成して着脱可能とする。又は上記通液部５兼蓋部６の内周面と、上記収容部２の開口を形成する上記ビン体上端部の外周面の一方にネジ溝を刻設し他方にネジ山を形成して該通液部５兼蓋部６を螺合する。また、該通液部５兼蓋部６に対し必要に応じて外面５ｂ上に揮発防止層７を形成する。
【００４３】
また、図７（Ｂ）に示すように、上記通液部５兼蓋部６は上記収容部２の開口を形成する上記ビン体の上端部の内周面に嵌合するように形成して着脱可能としてもよい。
【００４４】
また、本実施例にあっては、上記収容部２内に液体の害虫忌避剤４と共に加圧気体８を封入し、後記のように、該加圧気体８によって上記通液部５を通じて害虫忌避剤４を効果的に水中に放出する。該加圧気体８としては特に限定はないが、好ましくは加圧空気等の環境や人体への影響を配慮した気圧を用いる。
【００４５】
上記害虫忌避剤４、上記通液部５を形成する多孔質材料及び上記揮発防止層７の形成材についての説明は、既述した実施例１と同様であるので、ここでは説明を割愛する。
【００４６】
次に本実施例に係る害虫防除具１の設置例について説明する。図８は本実施例に係る害虫防除具１を防火水槽Ｆ内に設置した例を示している。
【００４７】
本設置例においては、図８に示すように、害虫防除具１を既知のビンスタンド等の固定手段１０を介して通液部５たる蓋部６が下向きとなるように防火水槽Ｆの内部Ｆａに設置する。
【００４８】
そして、上記通液部５たる蓋部６を通じて害虫忌避剤４を防火水槽Ｆの内部Ｆａに存する溜まり水Ｗ中に放出する。この際に加圧気体８が害虫忌避剤４の放出を補完し効果的な放出に貢献する。当該加圧気体８による害虫忌避剤４の放出の補完は、特に溜まり水Ｗの水量が多く、上記通液部５たる蓋部６に対する水圧が高いときに有効である。
【００４９】
害虫忌避剤４の水中への放出については、既述した実施例１における設置例と同様であるので、ここでは実施例１における設置例の説明を援用する。
【実施例４】
【００５０】
図９，図１０に示すように、本実施例に係る害虫防除具１は、既述した実施例３と同様に、基体３にて画成された収容部２を備え、該収容部２内に液体の害虫忌避剤４を収容すると共に加圧気体８を封入し、上記基体３の一部分に多孔質材料から成る通液部５を形成する基本構成を有し、上記通液部５を下向きにして設置し該通液部５が浸水した際に同通液部５を通じて上記収容部２内の害虫忌避剤４を水中に放出し、溜まり水又はその水辺で生息する害虫を防除する。
【００５１】
本実施例においては、上記基体３の一部分たる底部を上記通液部５として形成する。上記通液部５以外の基体３の部分は既知のビン体を利用して構成し上記通液部５を接着剤等を介して結合する。上記ビン体は既述した実施例３と同様のものを用い、該ビン体の上端に既知の合成樹脂製又は金属製の蓋部６を螺合する。また、必要に応じて、上記通液部５の外面５ｂ上に揮発防止層７を形成する。
【００５２】
上記害虫忌避剤４、上記通液部５を形成する多孔質材料、上記揮発防止層７の形成材及び害虫忌避剤４の水中への放出についての説明は、既述した実施例１と同様であるので、ここでは説明を割愛する。また、加圧気体８による害虫忌避剤４の水中放出促進については、既述した実施例３と同様であるので、ここでは説明を割愛する。
【００５３】
以上のとおり、本発明に係る害虫防除具１は、通液部５が浸水する前は害虫忌避剤４を収容部２内に保持し、該通液部５が浸水した場合にのみ水中に害虫忌避剤４を持続的に放出する。よって、溜まり水Ｗの発生が予測される場所に予め設置しておくことができ、防除作業者の負担を大幅に軽減することができる。他方、既に発生している溜まり水Ｗ内に投入することによっても、有効に害虫防除を行うことができることは勿論である。
【００５４】
また、防除対象の害虫が生息、即ち害虫が産卵や孵化等により発生又は生活する溜まり水Ｗ自体に害虫忌避剤４を放出し、該溜まり水Ｗにおける水中忌避や水面忌避を図ると共に該溜まり水Ｗの水面Ｗａに形成される害虫忌避剤４の油膜４ｂからの蒸散により溜まり水Ｗの周辺に生息し飛翔する害虫に対し空間忌避をも図ることができ、社会問題となっている蚊等の害虫に対する防除具として極めて有効である。
【符号の説明】
【００５５】
１…害虫防除具、２…収容部、３…基体、３ａ…基体の内面、３ｂ…基体の外面、４…害虫忌避剤、４ａ…害虫忌避剤の油玉、４ｂ…害虫忌避剤の油膜、５…通液部、５ａ…通液部の内面、５ｂ…通液部の外面、６…蓋部、７…揮発防止層、８…加圧気体、９…吊下手段、１０…固定手段、１１…封止手段、Ｍ…集水桝、Ｍａ…集水桝の内部、Ｇ…地面、Ｇａ…地面の凹所、Ｆ…防火水槽、Ｆａ…防火水槽の内部、Ｗ…溜まり水、Ｗａ…溜まり水の水面。
【要約】
【課題】  防除対象の害虫が生息、即ち害虫が発生又は生活する溜まり水自体に害虫忌避剤を放出し、該溜まり水における水中忌避や水面忌避を図ると共に該溜まり水の水面から害虫忌避剤を蒸散して溜まり水の周辺に生息し飛翔する害虫に対し空間忌避をも図る害虫防除具の提供。
【解決手段】  害虫防除具１は、液体の害虫忌避剤４を収容する収容部２を備え、該収容部２を画成する基体３の全部分又は一部分に多孔質材料から成る通液部５を形成し、該通液部５が浸水した際に同通液部５を通じて上記害虫忌避剤４を水中に放出し、溜まり水又はその水辺で生息する害虫を防除する。
【選択図】  図２【図１】
0005749388.tif 000002
【図２】
0005749388.tif 000003
【図３】
0005749388.tif 000004
【図４】
0005749388.tif 000005
【図５】
0005749388.tif 000006
【図６】
0005749388.tif 000007
【図７】
0005749388.tif 000008
【図８】
0005749388.tif 000009
【図９】
0005749388.tif 000010
【図１０】
0005749388.tif 000011